(57)【特許請求の範囲】
【請求項１】
リハビリ用機器を装着するリハビリ用手袋であって、
手の平側に挿入口が形成された指を収納する指袋と、
母指球及び手首領域の上側を回して手の平領域で留め、手の平が、親指部分と人差し指部分との間から手首部分にかけて覆われる第１固定部と、
小指球及び手首領域の上側を回して手の平領域で留める第２固定部と、
親指及び人差し指の間を通して手の平領域で留める第３固定部と、
を有し、
前記第１固定部、前記第２固定部、及び前記第３固定部が互いに接着するリハビリ用手袋。
【請求項２】
リハビリ用機器を装着するリハビリ用手袋であって、
さらに手の甲側に、
手の指の先端から指の第一関節辺りに設けられ、前記リハビリ用機器を装着する位置を指の先端領域に点ファスナーによりピンポイントで決定し、かつ前記リハビリ用機器を固定する複数の第１装着部と、
手の指の第一関節から指の付け根辺り、及び手の甲領域に設けられ、前記第１装着部により指の先端領域の装着位置が決められた前記リハビリ用機器が手の指及び手の甲から外れないように面ファスナーにより固定する複数の第２装着部と、
を有する請求項１に記載のリハビリ用手袋。
【請求項３】
前記第１固定部、前記第２固定部、及び前記第３固定部は面ファスナーを含み、
前記第２固定部は、複数に分かれている請求項１又は２に記載のリハビリ用手袋。
【請求項４】
指の付け根領域に、リハビリ運動で発生するしわを吸収する伸縮部を有する請求項１〜３のいずれか１項に記載のリハビリ用手袋。
【請求項５】
指先領域に、滑り止め部を有する請求項１〜４のいずれか１項に記載のリハビリ用手袋。
【請求項６】
前記指を収納する指袋の挿入口が、指袋の先端領域の直径よりも大きな直径を有しており、かつ複数枚の素材を重ね合わせた請求項１〜５のいずれか１項に記載のリハビリ用手袋。
【発明の詳細な説明】
【技術分野】
【０００１】
本発明は、リハビリ用手袋に関するものである。
【背景技術】
【０００２】
近年の少子高齢化に伴い、高齢者を中心として、脳卒中や脳梗塞などの後遺症で手が麻痺した患者が増加している。そのため、リハビリテーションを行う施設（リハビリテーション科）や、理学療法士及び作業療法士の需要が増加している。このような背景から、脳卒中や脳梗塞などの後遺症で手が麻痺した患者がリハビリテーションを行うために、理学療法士や作業療法士に代わってリハビリテーションをサポートする様々なリハビリ用機器が開発されている。
【０００３】
このようなリハビリ用機器の一つとして、特許文献１には、空気圧調整部により、手指関節運動支援部のベローズへの空気の供給が行われると、ベローズの関節と対向する側の環状溝が弾性部材により弾性的に拘束されているため、ベローズが、略円弧状に伸長する関節運動支援装置が記載されている。また、手指関節運動支援部のそれぞれは、締め付け部材としてのベルト部材により手指に装着される（特許文献１の段落００２６，００２７参照。）。
【先行技術文献】
【特許文献】
【０００４】
【特許文献１】特許第４７１６４５６号公報
【発明の概要】
【発明が解決しようとする課題】
【０００５】
通常、リハビリテーションはほぼ毎日と言えるほど頻繁に行うものである。そのため、手のリハビリテーションで使用するリハビリ用機器と、それを装着するリハビリ用手袋は、装着・着脱が容易であることが求められる。また、少子高齢化による人手不足も懸念されるため、理学療法士や作業療法士のような専門職員でなくてもリハビリ用手袋やリハビリ用機器を容易に装着・着脱できることが求められる。特許文献１には、手指関節運動支援部のそれぞれは、締め付け部材としてのベルト部材により手指に装着されることが開示されている。しかし、リハビリ用機器の装着・着脱に要する時間や、容易にかつ正しくリハビリ用機器を装着・着脱できることなどを考慮すると、より改善が求められる。
【０００６】
そこで本発明は、容易にかつ正しくリハビリ用機器を装着・着脱できるなど、利便性を向上させたリハビリ用手袋を提供することを目的とする。
【課題を解決するための手段】
【０００７】
本発明は、リハビリ用機器を装着するリハビリ用手袋であって、手の平側に挿入口が形成された指を収納する指袋と、母指球及び手首領域の上側を回して手の平領域で留め、手の平が、親指部分と人差し指部分との間から手首部分にかけて覆われる第１固定部と、小指球及び手首領域の上側を回して手の平領域で留める第２固定部と、親指及び人差し指の間を通して手の平領域で留める第３固定部と、を有し、前記第１固定部、前記第２固定部、及び前記第３固定部が互いに接着することが望ましい。第１固定部、第２固定部、第３固定部により、リハビリ用手袋の手の平側領域が大きく開いた状態から、リハビリ患者の手を包み込むようにリハビリ用手袋をはめることができる。
【０００８】
本発明に係るリハビリ用手袋は、さらに手の甲側に、手の指の先端から指の第一関節辺りに設けられ、点ファスナーにより前記リハビリ用機器を装着する位置をピンポイントで決定し、かつ前記リハビリ用機器を固定する複数の第１装着部と、手の指の第一関節から指の付け根辺り、及び手の甲領域に設けられ、面ファスナーにより前記リハビリ用機器が手の指及び手の甲から外れないように固定する複数の第２装着部とを有することが望ましい。これにより、リハビリ患者の手を包み込むようにリハビリ用手袋をはめることができた後、第１装着部（点ファスナー）によって、誰が装着させても容易にかつリハビリ用機器を手の指の先端から指の第一関節辺りの正しい位置（同じ位置）に装着させる（固定させる）ことができる。また、第２装着部（面ファスナー）により、より強固にリハビリ用機器がリハビリ用手袋の手の指及び手の甲から外れないように固定することができ、リハビリ運動の効果を最大限に発揮することができる。
【０００９】
本発明に係るリハビリ用手袋は、前記第１固定部、前記第２固定部、及び前記第３固定部は面ファスナーを含み、前記第２固定部は、複数に分かれていることが望ましい。第１固定部、第２固定部、第３固定部が面ファスナーを含むため、互いに接着する領域を広く設けることができる。また、第２固定部が複数に分かれているため、リハビリ用患者の手の形状に合わせてリハビリ用手袋をよりぴったりはめることができる。
【００１０】
本発明に係るリハビリ用手袋は、指の付け根領域に、リハビリ運動で発生するしわを吸収する伸縮部を有することが望ましい。伸縮部により、リハビリ運動でリハビリ用手袋にしわが残ることを防ぎ、リハビリ用手袋の劣化を遅らせることができる。
【００１１】
本発明に係るリハビリ用手は、指先領域に、滑り止め部を有することが望ましい。滑り止め部により、物品把持運動が含まれるリハビリ運動が可能となる。
【００１２】
本発明に係るリハビリ用手は、前記指を収納する指袋の挿入口が、指袋の先端領域の直径よりも大きな直径を有しており、かつ複数枚の素材を重ね合わせたものであることが望ましい。挿入口の直径が、指袋の先端領域の直径よりも大きいため（広がっているため）、後遺症で手の指が曲がったまま伸びない、いわゆる痙縮の症状を持つリハビリ患者でも、リハビリ用手袋への指の収納が容易となる。
【発明の効果】
【００１３】
本発明に係るリハビリ用手袋によれば、リハビリ用手袋の手の平側領域が大きく開いた状態から、リハビリ患者の手を包み込むようにリハビリ用手袋をはめることができるため、リハビリ患者の体位変換を最小限に抑えることができて、かつ容易に（リハビリ患者が１人でも）はめることができる等、利便性を向上させたリハビリ用手袋を提供することができる。また、第１固定部、第２固定部、第３固定部が互いに接着する領域を広く設けること、リハビリ用患者の手の形状に合わせてリハビリ用手袋をよりぴったりはめることができること等により、リハビリ運動中にリハビリ用手袋が脱げたり、緩くなったりすることを防ぐことができる。さらに、挿入口の直径が、指袋の先端領域の直径よりも大きいため、後遺症で手の指が曲がったまま伸びない、いわゆる痙縮の症状を持つリハビリ患者でも、リハビリ用手袋への指の収納が容易となる。
【図面の簡単な説明】
【００１４】
【図１】本発明の実施の形態に係るリハビリ用手袋の正面図（手の甲側）である。
【図２】本発明の実施の形態に係るリハビリ用手袋の一部を拡大した説明図である。
【図３Ａ】本発明の実施の形態に係るリハビリ用手袋の背面図（手の平側）である。
【図３Ｂ】本発明の実施の形態に係るリハビリ用手袋の背面図（手の平側）であって、第１固定部を手の平領域へ移動させた図である。
【図３Ｃ】本発明の実施の形態に係るリハビリ用手袋の背面図（手の平側）であって、第１固定部及び第２固定部を手の平領域へ移動させた図である。
【図３Ｄ】本発明の実施の形態に係るリハビリ用手袋の背面図（手の平側）であって、第１固定部、第２固定部及び第３固定部を手の平領域へ移動させた図である。
【図４】本発明の実施の形態に係るリハビリ用手袋にリハビリ用機器を装着した図である。
【発明を実施するための形態】
【００１５】
本発明の実施の形態を、図面を参照して説明する。図１に、本発明の実施の形態に係るリハビリ用手袋１の正面図（手の甲側）を示す。リハビリ用手袋１は、手の甲側に、複数の第１装着部２１及び第２装着部２２を有する。第１装着部２１は、リハビリ用機器５１（図４参照）を装着する位置を決定し、かつリハビリ用機器５１を固定する。また、第２装着部２２は、リハビリ用機器５１を固定する。
【００１６】
第１装着部２１の位置はリハビリ用手袋１に固定されているため、リハビリ用機器５１がリハビリ用手袋１に装着される位置もピンポイントで決定する（リハビリ用機器５１がずれて装着されることはない）。よって、誰がリハビリ用機器５１を装着させても、容易に、かつ正しい位置に装着させることができる。また、同時に、リハビリ用機器５１を固定することができる。さらに、第２装着部２２にリハビリ用機器５１を固定させることで、より強固にリハビリ用機器５１をリハビリ用手袋１に装着することができ、リハビリ運動中にリハビリ用機器５１が外れたり、装着位置がずれたりすることを防ぐことができる。なお、第１装着部２１によりリハビリ用機器５１の装着位置は決定されるため、第２装着部２２はリハビリ用機器５１の装着位置がずれることを懸念することなく装着することができる（つまり、第１装着部２１と第２装着部２２のように装着部の機能を分けることで、リハビリ用機器５１を装着する際の利便性が向上する。）。
【００１７】
第１装着部２１は、図２に示すように、リハビリ用手袋１の指の先端から指の第一関節辺り（若しくは、指の爪領域辺り）に設けられることが望ましい。指の先端領域の装着位置を最初に決めて、リハビリ用機器５１を固定することで、指の関節領域や手の甲領域の装着位置も決定し、誰がリハビリ用機器を装着させても、容易に、かつ正しい位置に装着させることができる。なお、第１装着部２１は、各指（親指、人差し指、中指、薬指、小指）に設けられることが望ましい。各指に対してリハビリ用機器５１の装着位置を決めることで、より容易に、かつ正しい位置に装着させることができる。リハビリ用機器５１を正しい位置に装着させることで、リハビリ用機器５１を利用したリハビリ運動の効果を最大限に発揮することができる。
【００１８】
一方、第２装着部２２は、図１に示すように、指の第一関節から指の付け根辺り、及び、手の甲領域に複数設けられることが望ましい。なぜならば、手のリハビリ運動は指の伸縮運動が多く、リハビリ用機器５１が指から外れないように装着をより強固にする必要があるためである。また、手の甲領域は広いため、第２装着部２２を広く設けることができ、リハビリ用機器５１の装着をより安定させることができる。なお、第２装着部２２は、親指以外の各指（人差し指、中指、薬指、小指）に設けられることが望ましいが、リハビリ運動の種類や装着するリハビリ用機器の種類などに合わせて、親指に設けてもよく、指の第一関節から指の付け根辺り以外の領域にも設けてよい。
【００１９】
ここで、第１装着部２１は、点ファスナーであることが望ましい。具体的には、スナップボタンが望ましく、それ以外のものでもよい。また、第２装着部２２は、面ファスナーであることが望ましい。具体的には、ベルクロ（登録商標）やマジックテープ（登録商標）が望ましく、それ以外のものでもよい。
【００２０】
スナップボタンは、衣服などの合せ目を留める凹凸一対の小金具である。第１装着部２１をスナップボタンとすることで、リハビリ用手袋１とリハビリ用機器５１は点で接着するため、リハビリ用機器５１がリハビリ用手袋１に装着される位置がピンポイントで決定し、かつ装着・着脱が非常に容易となる。また、ベルクロ（登録商標）やマジックテープ（登録商標）は、着脱自在の布製テープである。第２装着部２２をベルクロ（登録商標）やマジックテープ（登録商標）とすることで、リハビリ用手袋１とリハビリ用機器５１は面で接着するため、リハビリ運動の種類（運動の激しさ）や装着するリハビリ用機器５１の種類（形状や重量）に合わせて第２装着部の装着領域（装着面積）の広さや位置を自由に決めることができる。さらに、第２装着部２２は装着領域（装着面積）を広く設けることができるため、より強固にリハビリ用機器５１をリハビリ用手袋１に装着させることができる。
【００２１】
図３Ａ〜図３Ｄに、本発明の実施の形態に係るリハビリ用手袋１の背面図（手の平側）を示す。リハビリ用手袋１は、手の平側に、第１固定部３１、第２固定部３２、及び第３固定部３３を有する。また、リハビリ患者の手の指は、リハビリ用手袋１の指袋３４に形成された挿入口３５から挿入され、各指袋に収納される。第１固定部３１、第２固定部３２、第３固定部３３により、リハビリ用手袋１の手の平側領域が大きく開いた状態から、リハビリ患者の手を包み込むようにリハビリ用手袋をはめることができる。リハビリ患者は、手の平を上に向けた状態のままでリハビリ用手袋１をはめることができるため、体位変換を最小限に抑えることができる。
【００２２】
ここで、第１固定部３１、第２固定部３２、及び第３固定部３３は面ファスナーを含むことが望ましい。具体的には、ベルクロ（登録商標）やマジックテープ（登録商標）を用いることができ、それ以外のものでもよい。第１固定部、第２固定部、第３固定部が面ファスナーを含むことで、互いに接着する領域を広く設けることができ、リハビリ用手袋１がリハビリ患者の手によりしっかり固定され、リハビリ運動中にリハビリ用手袋１が脱げたり、緩くなったりすることを防ぐことができる。また、第２固定部３２は、複数に分かれていることが望ましい。第２固定部を複数に分けることで、リハビリ用患者の手の形状に合わせてリハビリ用手袋をよりぴったりはめることができる。例えば、図３Ａに示すように第２固定部３２は２つに分かれていてもよく、又は３つ以上に分かれていてもよく、十分にフィットするのであれば１つでも（分かれていなくても）よい。
【００２３】
また、図１に示すように、リハビリ用手袋１は、指の付け根領域に伸縮部４１を有する。これにより、リハビリ運動（例えば、グーパー運動と称される手の平の開閉）を行っても、伸縮部４１が伸縮することで、リハビリ用手袋１の指の付け根領域にしわが残ることを防ぐことができる。しわが残ることを防ぐことができるため、リハビリ用手袋１の劣化を遅らせて長期間使い続けることができ、リハビリ患者（個人でリハビリ用手袋１を購入する場合）や病院側のコスト低減が図られる。
【００２４】
また、リハビリ用手袋１は、指先領域に滑り止め部（図示せず）を有していることが望ましい。なぜならば、リハビリ運動には、物品把持運動も含まれるためである。滑り止め部は、滑り止め機能のある生地を設けてもよいし、点や線などの突起を設けることで滑り止め機能を実現してもよい。なお、滑り止め部は、リハビリ運動に含まれる運動の種類に応じて、指先領域だけでなく、それ以外の領域にも設けてよい。
【００２５】
また、図３Ａに示すように、リハビリ用手袋１は、指を収納する指袋３４に形成された挿入口３５が、指袋３４の先端領域の直径よりも大きな直径を有しており、かつ、複数枚の素材を重ね合わせたものであることが望ましい。挿入口３５の直径が、指袋３４の先端領域の直径よりも大きいため（広がっているため）、後遺症で手の指が曲がったまま伸びない、いわゆる痙縮の症状を持つリハビリ患者でも、リハビリ用手袋１への指の収納が容易となる。また、挿入口３５を複数枚の素材を重ね合わせたものとすることで、リハビリ運動を行う毎に指の出し入れが必要となる挿入口３５の強度を確保することができ、リハビリ用手袋１の劣化を遅らせて、長期間使い続けることができる。
【００２６】
以下に、（１）リハビリ用手袋１を、リハビリ患者にはめる（装着する）手順と、（２）リハビリ用手袋１に、リハビリ用機器５１を装着する手順について説明する。この作業を行う際は、理学療法士、作業療法士、又は家族などの介助者がいることが望ましい。また、介助者は、リハビリ患者の対面に位置して、リハビリ患者がリハビリ用手袋１をはめる作業を補助することが望ましい。
【００２７】
[リハビリ用手袋の装着]
まず、図３Ａに示すように、リハビリ患者は、リハビリ用手袋１の手の平側を上に向けた状態で、そこに自身の手（手の平が上）を置く。そして、介助者は、リハビリ患者の指を１本ずつリハビリ用手袋１の指袋３４に形成された挿入口３５から入れ、各指を収納する。
【００２８】
各指を収納したら、介助者は、図３Ｂに示すように、第１固定部３１を母指球及び手首領域の上側で回して、手の平領域へ持ってくる。続いて、図３Ｃに示すように、第２固定部３２を小指球及び手首領域の上側を回して、第１固定部３１と第２固定部３２を手の平領域で留める（接着させる）。最後に、図３Ｄに示すように、第３固定部３３を親指及び人差し指の間を通して、第３固定部３３と第１固定部３１及び第２固定部３２を手の平領域で留める。
以上のような手順で、介助者は、リハビリ患者の手をリハビリ用手袋１にはめる。
【００２９】
[リハビリ用機器の装着]
リハビリ用手袋１をリハビリ患者にはめた後、介助者は、リハビリ用手袋１の甲側にリハビリ用機器５１を装着する。本発明の実施の形態において、リハビリ用機器５１は、リハビリ用手袋１の第１装着部２１及び、第２装着部２２に係合する複数の装着部を有する。
【００３０】
まず、介助者は、第１装着部２１にリハビリ用機器５１を留める。図１に示すように、本発明の実施の形態では、第１装着部２１は点ファスナー（スナップボタン）であり、各指（親指、人差し指、中指、薬指、小指）の指の先端から指の第一関節辺りに設けられている。
【００３１】
次に、介助者は、第２装着部２２にリハビリ用機器５１を留める。図１に示すように、本発明の実施の形態では、第２装着部２２は面ファスナー（ベルクロ（登録商標））であり、親指以外の各指（人差し指、中指、薬指、小指）と、手の甲領域に設けられている。
【００３２】
以上のような手順で、リハビリ患者にリハビリ用手袋１がはめられ、リハビリ用機器５１が装着される。上記手順は一例であり、リハビリ患者が１人で、リハビリ用手袋１やリハビリ用機器５１を装着してもよい。
【００３３】
リハビリ患者がリハビリ用手袋１をはめて、かつリハビリ用機器５１を装着したイメージを、図４に示す。図４に示すリハビリ用機器５１は板バネ（ニッケル、チタン）を利用したもので、手の指を握りこむ方向へ押さえることで、リハビリ患者にリハビリ運動を行わせる。リハビリ用機器５１の材料、形状、又は行う動作などに制限はない。
【００３４】
説明した本発明の実施の形態は実施例の一つであり、本発明の要旨を逸脱しない範囲で種々の変形が可能である。例えば、第１装着部２１は、指の先端から指の第一関節辺りだけでなく、手の甲領域に設けてもよく、それ以外の領域に設けてもよい。また、数も制限はない。第２装着部２２についても同様である。
伸縮部４１は、指の付け根領域だけでなく、指の第二関節領域に設けてもよく、それ以外の領域に設けてもよい。また、リハビリ用手袋１の第１装着部２１又は第２装着部２２の数や位置に併せて、リハビリ用機器５１も、必要な数の装着部を必要な位置に設けてよい。
【産業上の利用可能性】
【００３５】
本発明は、リハビリ用機器を装着するリハビリ用手袋として有用であり、特に、容易にかつ正しくリハビリ用機器を装着・着脱できるなど、利便性を向上させたリハビリ用手袋として好適である。
【符号の説明】
【００３６】
１  リハビリ用手袋
２１  第１装着部
２２  第２装着部
３１  第１固定部
３２  第２固定部
３３  第３固定部
３４  指袋
３５  挿入口
４１  伸縮部
５１  リハビリ用機器
【要約】
【課題】手のリハビリテーションで使用する、リハビリ用機器を装着させるリハビリ用手袋を、リハビリ患者１人でも容易にはめることができるなど、利便性を向上させたリハビリ用手袋の提供。
【解決手段】リハビリ用機器を装着するリハビリ用手袋１は、手の平側に、挿入口３５が形成された指を収納する指袋３４と、母指球及び手首領域の上側を回して手の平領域で留める第１固定部３１と、小指球及び手首領域の上側を回して手の平領域で留める第２固定部３２と、親指及び人差し指の間を通して手の平領域で止める第３固定部３３とを有し、第１固定部３１、第２固定部３２、及び第３固定部３３が互いに接着する。
【選択図】図３Ａ【図１】
0006736115.tif 000002
【図２】
0006736115.tif 000003
【図３Ａ】
0006736115.tif 000004
【図３Ｂ】
0006736115.tif 000005
【図３Ｃ】
0006736115.tif 000006
【図３Ｄ】
0006736115.tif 000007
【図４】
0006736115.tif 000008